(57)【特許請求の範囲】
【請求項１】
光源と、当該光源から照射され原稿から反射された光を受光する受光部とを有し、移動可能に設けられ、予め設定された第１の読み取り条件および予め設定され当該第１の読み取り条件とは異なる第２の読み取り条件にて原稿の画像を読み取り可能な画像読み取り手段と、
前記画像読み取り手段に設けられた前記光源からの光が照射される第１の白基準板と、
前記画像読み取り手段の移動方向において、前記第１の白基準板とは異なる位置に配置され、当該画像読み取り手段に設けられた前記光源からの光が照射される第２の白基準板と、
前記光源から前記第１の白基準板に対して照射された光であって当該第１の白基準板にて反射され前記受光部にて受光された当該光の量に関する情報である第１の光量情報を、前記第１の読み取り条件および前記第２の読み取り条件の各々の読み取り条件毎に取得し、当該第１の読み取り条件に対応した当該第１の光量情報である第１条件第１光量情報と、当該第２の読み取り条件に対応した当該第１の光量情報である第２条件第１光量情報とを得る第１の光量情報取得手段と、
前記光源から前記第２の白基準板に対して照射された光であって、当該第２の白基準板にて反射され前記受光部にて受光された当該光の量に関する情報を、第２の光量情報として取得可能であり、前記第１の読み取り条件に対応した当該第２の光量情報である第１条件第２光量情報を取得する第２の光量情報取得手段と、
前記第１の光量情報取得手段により得られた前記第１条件第１光量情報および前記第２条件第１光量情報と、前記第２の光量情報取得手段により取得された前記第１条件第２光量情報とを用い、且つ、所定の演算式を用い、前記第２の読み取り条件に対応した前記第２の光量情報である第２条件第２光量情報を取得する第３の光量情報取得手段と、
を含む画像読み取り装置。
【請求項２】
前記所定の演算式は、前記第１の光量情報取得手段により得られた前記第１条件第１光量情報と前記第２条件第１光量情報との比率を、前記第２の光量情報取得手段により取得された前記第１条件第２光量情報に乗じる演算式であることを特徴とする請求項１記載の画像読み取り装置。
【請求項３】
前記画像読み取り手段による読み取り部に対し、積載された原稿から原稿を順次搬送する搬送手段を更に備え、
前記第１の光量情報取得手段は、積載された前記原稿のうちの１枚目の原稿が前記搬送手段により搬送される前に前記第１の光量情報を取得することを特徴とする請求項１又は２に記載の画像読み取り装置。
【請求項４】
前記１枚目の原稿の読み取り条件に対応する前記第１の光量情報に基づきシェーディングデータを補正し、当該補正後のシェーディングデータを用いて前記画像読み取り手段により取得される当該１枚目の原稿の画像データを補正する補正手段を更に備えることを特徴とする請求項３に記載の画像読み取り装置。
【請求項５】
前記搬送手段により１枚目の原稿が搬送された後当該搬送手段により２枚目の原稿が搬送される前に、前記第１の読み取り条件および前記第２の読み取り条件のうちの一方の読み取り条件にて、前記第２の白基準板に対して前記光源から照射された光であって、当該第２の白基準板にて反射され前記受光部にて受光された当該光の量に関する搬送前光量情報を取得する搬送前取得手段を更に備え、
前記第２の光量情報取得手段による前記第１条件第２光量情報の取得、および、前記第３の光量情報取得手段による前記第２条件第２光量情報の取得は、前記搬送手段による１枚目の原稿の搬送が開始される前に行われ、
前記第２の光量情報取得手段および前記第３の光量情報取得手段により取得された前記第１条件第２光量情報および前記第２条件第２光量情報のうちの、前記搬送前光量情報が取得された際の読み取り条件に対応する第２光量情報と、前記搬送前取得手段により取得された当該搬送前光量情報と、の比を用い、且つ、所定の演算式を用い、前記シェーディングデータを補正し、当該補正後のシェーディングデータを用いて前記画像読み取り手段により取得される前記２枚目の原稿の画像データを補正する補正手段と、
を更に備えることを特徴とする請求項４記載の画像読み取り装置。
【請求項６】
前記画像読み取り手段による読み取り部に対し、積載された原稿から原稿を順次搬送する搬送手段を更に備え、
前記画像読み取り手段は、前記搬送手段により搬送される原稿の画像を読み取る際には予め定められた位置に位置決めされ、
前記第２の白基準板は、前記位置決めされた前記画像読み取り手段による読み取りが可能な位置に設けられていることを特徴とする請求項１又は２に記載の画像読み取り装置。
【請求項７】
原稿の画像を読み取る画像読み取り部と、
前記画像読み取り部により読み取られた画像を記録材に形成する画像形成部と、を備え、
前記画像読み取り部は、
光源と、当該光源から照射され原稿から反射された光を受光する受光部とを有し、移動可能に設けられ、予め設定された第１の読み取り条件および予め設定され当該第１の読み取り条件とは異なる第２の読み取り条件にて原稿の画像を読み取り可能な画像読み取り手段と、
前記画像読み取り手段に設けられた前記光源からの光が照射される第１の白基準板と、
前記画像読み取り手段の移動方向において、前記第１の白基準板とは異なる位置に配置され、当該画像読み取り手段に設けられた前記光源からの光が照射される第２の白基準板と、
前記光源から第１の白基準板に対して照射された光であって当該第１の白基準板にて反射され前記受光部にて受光された当該光の量に関する情報である第１の光量情報を、前記第１の読み取り条件および前記第２の読み取り条件の各々の読み取り条件毎に取得し、当該第１の読み取り条件に対応した当該第１の光量情報である第１条件第１光量情報と、当該第２の読み取り条件に対応した当該第１の光量情報である第２条件第１光量情報とを得る第１の光量情報取得手段と、
前記光源から前記第２の白基準板に対して照射された光であって、当該第２の白基準板にて反射され前記受光部にて受光された当該光の量に関する情報を、第２の光量情報として取得可能であり、前記第１の読み取り条件に対応した当該第２の光量情報である第１条件第２光量情報を取得する第２の光量情報取得手段と、
前記第１の光量情報取得手段により得られた前記第１条件第１光量情報および前記第２条件第１光量情報と、前記第２の光量情報取得手段により取得された前記第１条件第２光量情報とを用い、且つ、所定の演算式を用い、前記第２の読み取り条件に対応した前記第２の光量情報である第２条件第２光量情報を取得する第３の光量情報取得手段と、
を備えることを特徴とする画像形成装置。
【請求項８】
光源および受光部を有し予め設定された第１の読み取り条件および予め設定され当該第１の読み取り条件とは異なる第２の読み取り条件にて原稿の画像を読み取ることが可能であり且つ移動可能に設けられた画像読み取り手段を有する画像読み取り装置を制御するコンピュータに、
前記光源から第１の白基準板に対して照射された光であって当該第１の白基準板にて反射され前記受光部にて受光された当該光の量に関する情報である第１の光量情報を、前記第１の読み取り条件および前記第２の読み取り条件の各々の読み取り条件毎に取得し、当該第１の読み取り条件に対応した当該第１の光量情報である第１条件第１光量情報と、当該第２の読み取り条件に対応した当該第１の光量情報である第２条件第１光量情報とを得る第１の光量情報取得機能と、
前記画像読み取り手段の移動方向において前記第１の白基準板とは異なる位置に配置された第２の白基準板に対して前記光源から照射された光であって、当該第２の白基準板にて反射され前記受光部にて受光された当該光の量に関する情報を、第２の光量情報として取得可能であり、前記第１の読み取り条件に対応した当該第２の光量情報である第１条件第２光量情報を取得する第２の光量情報取得機能と、
前記第１の光量情報取得機能により得られた前記第１条件第１光量情報および前記第２条件第１光量情報と、前記第２の光量情報取得機能により取得された前記第１条件第２光量情報とを用い、且つ、所定の演算式を用い、前記第２の読み取り条件に対応した前記第２の光量情報である第２条件第２光量情報を取得する第３の光量情報取得機能と、
を実現させるためのプログラム。
【請求項９】
光源と、当該光源から照射され原稿から反射された光を受光する受光部とを有し、移動可能に設けられ、予め設定された第１の読み取り条件および予め設定され当該第１の読み取り条件とは異なる第２の読み取り条件にて原稿の画像を読み取り可能な画像読み取り手段と、
前記画像読み取り手段に設けられた前記光源からの光が照射される第１の白基準板と、
前記画像読み取り手段の移動方向において、前記第１の白基準板とは異なる位置に配置され、当該画像読み取り手段に設けられた前記光源からの光が照射される第２の白基準板と、
前記光源から前記第１の白基準板に対して照射された光であって当該第１の白基準板にて反射され前記受光部にて受光された当該光の量に関する情報である第１の光量情報であって、前記第１の読み取り条件に対応した当該第１の光量情報である第１条件第１光量情報を取得する第１の光量情報取得手段と、
前記第１の読み取り条件のときに前記光源から前記第１の白基準板に対して照射された光であって当該第１の白基準板にて反射され前記受光部にて受光された当該光の量と、前記第２の読み取り条件のときに当該光源から当該第１の白基準板に対して照射された光であって当該第１の白基準板にて反射され当該受光部にて受光された当該光の量との比である光量比を記憶する光量比記憶手段と、
前記第１の光量情報取得手段によって取得された前記第１条件第１光量情報に対し、前記光量比記憶手段に記憶されている前記光量比を乗じ、前記第２の読み取り条件に対応した前記第１の光量情報である第２条件第１光量情報を取得する第４の光量情報取得手段と、
前記光源から前記第２の白基準板に対して照射された光であって当該第２の白基準板にて反射され前記受光部にて受光された当該光の量に関する情報である第２の光量情報であって、前記第１の読み取り条件および前記第２の読み取り条件のうちの一方の読み取り条件に対応した当該第２の光量情報を取得する第２の光量情報取得手段と、
前記第１の光量情報取得手段および前記第４の光量情報取得手段により取得された前記第１条件第１光量情報および前記第２条件第１光量情報と、前記第２の光量情報取得手段により取得された前記第２の光量情報とを用い、且つ、所定の演算式を用い、前記第１の読み取り条件および前記第２の読み取り条件のうちの他方の読み取り条件に対応した前記第２の光量情報を取得する第３の光量情報取得手段と、
を含む画像読み取り装置。
【発明の詳細な説明】
【技術分野】
【０００１】
本発明は、原稿の画像を読み取る画像読み取り装置等に関する。
【背景技術】
【０００２】
画像読取りを実行する際、シェーディングデータファイルに、その読取りのスキャンモードに対応するシェーディングデータが有るか判断し、有る場合はファイルからそのシェーディングデータを読み取り、そのデータを用いて読取りを実行する画像読取りシステムが提案されている（例えば、特許文献１参照）。
【先行技術文献】
【特許文献】
【０００３】
【特許文献１】特開２００２−４４４３７号公報
【発明の概要】
【発明が解決しようとする課題】
【０００４】
ここで、原稿の画像を複数の読み取り条件にて読み取り可能な画像読み取り装置では、シェーディングデータなどの補正に用いる光量情報を読み取り条件毎に取得することがある。かかる場合、光量情報の取得に時間を要し画像読み取りの生産性が低下してしまう。
【課題を解決するための手段】
【０００５】
請求項１に記載の発明は、光源と、当該光源から照射され原稿から反射された光を受光する受光部とを有し、移動可能に設けられ、予め設定された第１の読み取り条件および予め設定され当該第１の読み取り条件とは異なる第２の読み取り条件にて原稿の画像を読み取り可能な画像読み取り手段と、前記画像読み取り手段に設けられた前記光源からの光が照射される第１の白基準板と、前記画像読み取り手段の移動方向において、前記第１の白基準板とは異なる位置に配置され、当該画像読み取り手段に設けられた前記光源からの光が照射される第２の白基準板と、前記光源から前記第１の白基準板に対して照射された光であって当該第１の白基準板にて反射され前記受光部にて受光された当該光の量に関する情報である第１の光量情報を、前記第１の読み取り条件および前記第２の読み取り条件の各々の読み取り条件毎に取得し、当該第１の読み取り条件に対応した当該第１の光量情報である第１条件第１光量情報と、当該第２の読み取り条件に対応した当該第１の光量情報である第２条件第１光量情報とを得る第１の光量情報取得手段と、前記光源から前記第２の白基準板に対して照射された光であって、当該第２の白基準板にて反射され前記受光部にて受光された当該光の量に関する情報を、第２の光量情報として取得可能であり、前記第１の読み取り条件に対応した当該第２の光量情報である第１条件第２光量情報を取得する第２の光量情報取得手段と、前記第１の光量情報取得手段により得られた前記第１条件第１光量情報および前記第２条件第１光量情報と、前記第２の光量情報取得手段により取得された前記第１条件第２光量情報とを用い、且つ、所定の演算式を用い、前記第２の読み取り条件に対応した前記第２の光量情報である第２条件第２光量情報を取得する第３の光量情報取得手段と、を含む画像読み取り装置である。
【０００６】
請求項２に記載の発明は、前記所定の演算式は、前記第１の光量情報取得手段により得られた前記第１条件第１光量情報と前記第２条件第１光量情報との比率を、前記第２の光量情報取得手段により取得された前記第１条件第２光量情報に乗じる演算式であることを特徴とする請求項１記載の画像読み取り装置である。
請求項３に記載の発明は、前記画像読み取り手段による読み取り部に対し、積載された原稿から原稿を順次搬送する搬送手段を更に備え、前記第１の光量情報取得手段は、積載された前記原稿のうちの１枚目の原稿が前記搬送手段により搬送される前に前記第１の光量情報を取得することを特徴とする請求項１又は２に記載の画像読み取り装置である。
請求項４に記載の発明は、前記１枚目の原稿の読み取り条件に対応する前記第１の光量情報に基づきシェーディングデータを補正し、当該補正後のシェーディングデータを用いて前記画像読み取り手段により取得される当該１枚目の原稿の画像データを補正する補正手段を更に備えることを特徴とする請求項３に記載の画像読み取り装置である。
請求項５に記載の発明は、前記搬送手段により１枚目の原稿が搬送された後当該搬送手段により２枚目の原稿が搬送される前に、前記第１の読み取り条件および前記第２の読み取り条件のうちの一方の読み取り条件にて、前記第２の白基準板に対して前記光源から照射された光であって、当該第２の白基準板にて反射され前記受光部にて受光された当該光の量に関する搬送前光量情報を取得する搬送前取得手段を更に備え、前記第２の光量情報取得手段による前記第１条件第２光量情報の取得、および、前記第３の光量情報取得手段による前記第２条件第２光量情報の取得は、前記搬送手段による１枚目の原稿の搬送が開始される前に行われ、前記第２の光量情報取得手段および前記第３の光量情報取得手段により取得された前記第１条件第２光量情報および前記第２条件第２光量情報のうちの、前記搬送前光量情報が取得された際の読み取り条件に対応する第２光量情報と、前記搬送前取得手段により取得された当該搬送前光量情報と、の比を用い、且つ、所定の演算式を用い、前記シェーディングデータを補正し、当該補正後のシェーディングデータを用いて前記画像読み取り手段により取得される前記２枚目の原稿の画像データを補正する補正手段と、を更に備えることを特徴とする請求項４記載の画像読み取り装置である。
請求項６に記載の発明は、前記画像読み取り手段による読み取り部に対し、積載された原稿から原稿を順次搬送する搬送手段を更に備え、前記画像読み取り手段は、前記搬送手段により搬送される原稿の画像を読み取る際には予め定められた位置に位置決めされ、前記第２の白基準板は、前記位置決めされた前記画像読み取り手段による読み取りが可能な位置に設けられていることを特徴とする請求項１又は２に記載の画像読み取り装置である。
【０００７】
請求項７に記載の発明は、原稿の画像を読み取る画像読み取り部と、前記画像読み取り部により読み取られた画像を記録材に形成する画像形成部と、を備え、前記画像読み取り部は、光源と、当該光源から照射され原稿から反射された光を受光する受光部とを有し、移動可能に設けられ、予め設定された第１の読み取り条件および予め設定され当該第１の読み取り条件とは異なる第２の読み取り条件にて原稿の画像を読み取り可能な画像読み取り手段と、前記画像読み取り手段に設けられた前記光源からの光が照射される第１の白基準板と、前記画像読み取り手段の移動方向において、前記第１の白基準板とは異なる位置に配置され、当該画像読み取り手段に設けられた前記光源からの光が照射される第２の白基準板と、前記光源から第１の白基準板に対して照射された光であって当該第１の白基準板にて反射され前記受光部にて受光された当該光の量に関する情報である第１の光量情報を、前記第１の読み取り条件および前記第２の読み取り条件の各々の読み取り条件毎に取得し、当該第１の読み取り条件に対応した当該第１の光量情報である第１条件第１光量情報と、当該第２の読み取り条件に対応した当該第１の光量情報である第２条件第１光量情報とを得る第１の光量情報取得手段と、前記光源から前記第２の白基準板に対して照射された光であって、当該第２の白基準板にて反射され前記受光部にて受光された当該光の量に関する情報を、第２の光量情報として取得可能であり、前記第１の読み取り条件に対応した当該第２の光量情報である第１条件第２光量情報を取得する第２の光量情報取得手段と、前記第１の光量情報取得手段により得られた前記第１条件第１光量情報および前記第２条件第１光量情報と、前記第２の光量情報取得手段により取得された前記第１条件第２光量情報とを用い、且つ、所定の演算式を用い、前記第２の読み取り条件に対応した前記第２の光量情報である第２条件第２光量情報を取得する第３の光量情報取得手段と、を備えることを特徴とする画像形成装置である。
【０００８】
請求項８に記載の発明は、光源および受光部を有し予め設定された第１の読み取り条件および予め設定され当該第１の読み取り条件とは異なる第２の読み取り条件にて原稿の画像を読み取ることが可能であり且つ移動可能に設けられた画像読み取り手段を有する画像読み取り装置を制御するコンピュータに、前記光源から第１の白基準板に対して照射された光であって当該第１の白基準板にて反射され前記受光部にて受光された当該光の量に関する情報である第１の光量情報を、前記第１の読み取り条件および前記第２の読み取り条件の各々の読み取り条件毎に取得し、当該第１の読み取り条件に対応した当該第１の光量情報である第１条件第１光量情報と、当該第２の読み取り条件に対応した当該第１の光量情報である第２条件第１光量情報とを得る第１の光量情報取得機能と、前記画像読み取り手段の移動方向において前記第１の白基準板とは異なる位置に配置された第２の白基準板に対して前記光源から照射された光であって、当該第２の白基準板にて反射され前記受光部にて受光された当該光の量に関する情報を、第２の光量情報として取得可能であり、前記第１の読み取り条件に対応した当該第２の光量情報である第１条件第２光量情報を取得する第２の光量情報取得機能と、前記第１の光量情報取得機能により得られた前記第１条件第１光量情報および前記第２条件第１光量情報と、前記第２の光量情報取得機能により取得された前記第１条件第２光量情報とを用い、且つ、所定の演算式を用い、前記第２の読み取り条件に対応した前記第２の光量情報である第２条件第２光量情報を取得する第３の光量情報取得機能と、を実現させるためのプログラムである。
【０００９】
請求項９に記載の発明は、光源と、当該光源から照射され原稿から反射された光を受光する受光部とを有し、移動可能に設けられ、予め設定された第１の読み取り条件および予め設定され当該第１の読み取り条件とは異なる第２の読み取り条件にて原稿の画像を読み取り可能な画像読み取り手段と、前記画像読み取り手段に設けられた前記光源からの光が照射される第１の白基準板と、前記画像読み取り手段の移動方向において、前記第１の白基準板とは異なる位置に配置され、当該画像読み取り手段に設けられた前記光源からの光が照射される第２の白基準板と、前記光源から前記第１の白基準板に対して照射された光であって当該第１の白基準板にて反射され前記受光部にて受光された当該光の量に関する情報である第１の光量情報であって、前記第１の読み取り条件に対応した当該第１の光量情報である第１条件第１光量情報を取得する第１の光量情報取得手段と、前記第１の読み取り条件のときに前記光源から前記第１の白基準板に対して照射された光であって当該第１の白基準板にて反射され前記受光部にて受光された当該光の量と、前記第２の読み取り条件のときに当該光源から当該第１の白基準板に対して照射された光であって当該第１の白基準板にて反射され当該受光部にて受光された当該光の量との比である光量比を記憶する光量比記憶手段と、前記第１の光量情報取得手段によって取得された前記第１条件第１光量情報に対し、前記光量比記憶手段に記憶されている前記光量比を乗じ、前記第２の読み取り条件に対応した前記第１の光量情報である第２条件第１光量情報を取得する第４の光量情報取得手段と、前記光源から前記第２の白基準板に対して照射された光であって当該第２の白基準板にて反射され前記受光部にて受光された当該光の量に関する情報である第２の光量情報であって、前記第１の読み取り条件および前記第２の読み取り条件のうちの一方の読み取り条件に対応した当該第２の光量情報を取得する第２の光量情報取得手段と、前記第１の光量情報取得手段および前記第４の光量情報取得手段により取得された前記第１条件第１光量情報および前記第２条件第１光量情報と、前記第２の光量情報取得手段により取得された前記第２の光量情報とを用い、且つ、所定の演算式を用い、前記第１の読み取り条件および前記第２の読み取り条件のうちの他方の読み取り条件に対応した前記第２の光量情報を取得する第３の光量情報取得手段と、を含む画像読み取り装置である。
【発明の効果】
【００１０】
本発明の請求項１によれば、本発明を採用しない場合に比べ、画像読み取りの生産性を向上させることができる。
本発明の請求項２によれば、本発明を採用しない場合に比べ、第２の光量情報をより簡易に取得できる。
本発明の請求項３によれば、１枚目の原稿が何れの読み取り条件で読み取られたとしても、１枚目の原稿の画像データに対し適切なシェーディング補正等を行うことができる。
本発明の請求項４によれば、本発明を採用しない場合に比べ、１枚目の原稿の画像データの質を向上させることができる。
本発明の請求項５によれば、本発明を採用しない場合に比べ、２枚目の原稿の画像データの質を向上させることができる。
本発明の請求項６によれば、搬送される原稿の画像を画像読み取り手段にて読み取る際、画像読み取り手段を移動させずにシェーディングデータ等の補正に用いる光量情報を取得可能となる。
本発明の請求項７によれば、本発明を採用しない場合に比べ、画像読み取りの生産性を向上させることができる。
本発明の請求項８によれば、本発明を採用しない場合に比べ、画像読み取りの生産性を向上させることができる。
本発明の請求項９によれば、本発明を採用しない場合に比べ、画像読み取りの生産性を向上させることができる。
【図面の簡単な説明】
【００１１】
【図１】本実施の形態が適用される画像読み取り装置を示した図である。
【図２】スキャナ装置の上面図である。
【図３】処理装置の機能ブロック図を示したものである。
【図４】装置の電源投入時に処理装置が実行する処理の一例を示したフローチャートである。
【図５】原稿の画像を読み取る際に処理装置が実行する処理の一例を示したフローチャートである。
【図６】原稿の画像を読み取る際に処理装置が実行する処理の一例を示したフローチャートである。
【図７】原稿の画像を読み取る際に処理装置が実行する処理の一例を示したフローチャートである。
【発明を実施するための形態】
【００１２】
以下、添付図面を参照して、本発明を実施するための形態について詳細に説明する。
図１は本実施の形態が適用される画像読み取り装置を示した図である。この画像読み取
り装置は、画像読み取り部６５（後述）が読み取りを行う読み取り部に対し積載された原稿を順次搬送する搬送手段の一例としての原稿送り装置１０、スキャンによって画像を読み込むスキャナ装置７０、および読み込まれた画像信号を処理する処理装置８０に大別される。
【００１３】
原稿送り装置１０は、複数枚の原稿からなる原稿束を積載する原稿積載部１１、原稿積載部１１を上昇および下降させるリフタ１２を備えている。また、リフタ１２により上昇された原稿積載部１１の原稿を搬送する搬送ロール１３、搬送ロール１３により搬送された原稿をさらに下流側へ搬送するフィードロール１４、搬送ロール１３により供給される原稿を一枚ずつに捌くリタードロール１５を備えている。
【００１４】
最初に原稿が搬送される搬送路としての第１搬送路３１には、一枚ずつに捌かれた原稿を下流側のロールまで搬送するテイクアウェイロール１６、原稿をさらに下流側のロールまで搬送すると共にループ形成を行うプレレジロール１７、一旦停止した後にタイミングを合わせて回転を再開し、後述する第２プラテンガラス７２Ｂに対してレジストレーション調整を施しながら原稿を供給するレジロール１８、読み込み中の原稿搬送をアシストするプラテンロール１９、読み込まれた原稿をさらに下流に搬送するアウトロール２０を備えている。また、第１搬送路３１には、搬送される原稿のループ状態に応じて支点を中心に回転するバッフル４１が設けられている。さらに、プラテンロール１９とアウトロール２０との間には、ＣＩＳ(Contact Image Sensor)５０が設けられている。
【００１５】
アウトロール２０の下流側には、第２搬送路３２および第３搬送路３３が設けられている。また、これらの搬送路を切り替える搬送路切替ゲート４２、読み込みが終了した原稿が積載される原稿排出部４０、原稿排出部４０に対して原稿を排出する第１排出ロール２１が設けられている。また、第３搬送路３３を経由した原稿をスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５が設けられている。また、第４搬送路３４によってスイッチバックされた原稿を原稿排出部４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３が設けられている。
【００１６】
搬送ロール１３は、待機時にはリフトアップされて待避位置に保持され、原稿搬送時にニップ位置(原稿搬送位置)へ降下して原稿積載部１１上の最上位の原稿を搬送する。搬送ロール１３およびフィードロール１４は、フィードクラッチ(図示せず)の連結によって原稿の搬送を行う。プレレジロール１７は、停止しているレジロール１８に原稿先端を突き当ててループを形成する。レジロール１８では、ループ形成時に、レジロール１８に噛み込んだ原稿先端をニップ位置まで戻している。
【００１７】
上記ループが形成されると、バッフル４１は支点を中心として開き、原稿に形成されるループを妨げることのないように機能する。また、テイクアウェイロール１６およびプレレジロール１７は、読み込み中における原稿のループを保持している。このループ形成によって、読み込みタイミングの調整が図られ、また、読み込み時における原稿搬送に伴うスキューを抑制して、位置合わせの調整機能が高まる。そして、読み込みの開始タイミングに合わせて、停止されていたレジロール１８が回転を開始し、プラテンロール１９によって原稿が第２プラテンガラス７２Ｂ(後述)に押圧され、後述するＣＣＤイメージセンサ７８によって下面方向から画像データが読み込まれる。
【００１８】
搬送路切替ゲート４２は、片面原稿の読み取り終了時、および両面原稿の両面同時読み取りの終了時に、アウトロール２０を経由した原稿を第２搬送路３２に導き、原稿排出部４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ(図示せず)がオフの状態でリトラクトされてニップが開放され、原稿を第４搬送路３４へ導いている。その後、このインバータピンチロール２３はニップされ、インバータロール２２によってインバートする原稿をプレレジロール１７へと導き、また、反転排出する原稿を第６搬送路３６の第２排出ロール２４まで搬送している。
【００１９】
スキャナ装置７０は、上述した原稿送り装置１０を下方から支持する。詳細には、原稿送り装置１０を装置フレーム７１によって下方から支えている。また、スキャナ装置７０は、筐体を形成する装置フレーム７１に、画像を読み込むべき原稿が静止した状態で置かれる第１プラテンガラス７２Ａ、原稿送り装置１０によって搬送中の原稿を読み取るための光の開口部を有する第２プラテンガラス７２Ｂを備えている。なお、第１プラテンガラス７２Ａと第２プラテンガラス７２Ｂとの間には、原稿送り装置１０により搬送される原稿を案内する案内部材６８が設けられている。また、この案内部材６８の下部には、主走査方向に沿って第１白基準板６９が配設されている。この第１白基準板６９は、シェーディング補正を行う際に基準となる白色の面を有している。
【００２０】
また、スキャナ装置７０は、画像読み取り部６５を備えている。画像読み取り手段の一例としてのこの画像読み取り部６５は、第２プラテンガラス７２Ｂの下に静止し（位置決めされ）、あるいは第１プラテンガラス７２Ａの全体にわたってスキャンして画像を読み込むフルレートキャリッジ７３、フルレートキャリッジ７３から得られた光を像結合部へ提供するハーフレートキャリッジ７５を備えている。ここで、フルレートキャリッジ７３には、原稿に光を照射する光源の一例としてのランプ７４、原稿から得られた反射光を受光する第１ミラー７６Ａが設けられている。さらに、ハーフレートキャリッジ７５には、第１ミラー７６Ａから得られた光を結像部へ提供する第２ミラー７６Ｂおよび第３ミラー７６Ｃが設けられている。なお、ランプ７４には、例えばＸｅ(キセノン)ランプが用いられる。
【００２１】
また、画像読み取り部６５は、第３ミラー７６Ｃから得られた光学像を光学的に縮小する結像用レンズ７７、結像用レンズ７７によって結像された光学像を光電変換するＣＣＤ(Charge Coupled Device)イメージセンサ７８（受光部の一例）、ＣＣＤイメージセンサ７８が装着される駆動基板７９を備えている。そして、ＣＣＤイメージセンサ７８によって得られた画像信号が駆動基板７９を介して処理装置８０に送られる。つまり、スキャナ装置７０では、所謂縮小光学系を用いてＣＣＤイメージセンサ７８に像を結像させている。
【００２２】
ここで、処理装置８０に送られた画像信号は、予め定められた画像処理が施された後、ＰＣ（Personal Computer）３００や、例えばスキャナ装置７０の下部に設けられる画像形成部４００に送信される。そして例えば画像形成部４００では、例えば電子写真方式によって用紙等の記録材に対し画像が形成される。なお、図示は省略するが、フルレートキャリッジ７３およびハーフレートキャリッジ７５は、ガイド機構と、ワイヤ、プーリなどにより構成される動力伝達機構とにより、副走査方向に移動する。また、フルレートキャリッジ７３およびハーフレートキャリッジ７５は、共通のキャリッジモータ（不図示）により副走査方向に移動する。
【００２３】
ここで、第１プラテンガラス７２Ａに置かれた原稿の画像を読み取る場合には、フルレートキャリッジ７３とハーフレートキャリッジ７５とが、２：１の割合でスキャン方向(矢印方向)に移動する。このとき、フルレートキャリッジ７３のランプ７４の光が原稿の被読み取り面に照射されると共に、原稿からの反射光が第１ミラー７６Ａ、第２ミラー７６Ｂ、および第３ミラー７６Ｃの順に反射されて結像用レンズ７７に導かれる。そして結像用レンズ７７に導かれた光は、ＣＣＤイメージセンサ７８の受光面に結像される。ＣＣＤイメージセンサ７８は１次元のセンサであり、１ライン分を同時に処理している。そしてスキャン方向（副走査方向）にフルレートキャリッジ７３が移動し、原稿の次のラインが読み取られる。これを原稿全体に亘って実行することで、１ページの原稿読み取りが完了する。
【００２４】
一方、第２プラテンガラス７２Ｂは、例えば長尺の板状構造をなす透明なガラスプレートで構成される。そして本実施形態では、原稿送り装置１０によって搬送される原稿がこの第２プラテンガラス７２Ｂの上を通過する。このとき、フルレートキャリッジ７３およびハーフレートキャリッジ７５は、図１に示す実線の位置に停止した状態にある。付言すると、フルレートキャリッジ７３が第２プラテンガラス７２Ｂの下方に位置する状態となる。
【００２５】
原稿の画像が読み取られる場合、まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、ＣＣＤイメージセンサ７８によって画像が読み込まれる。すなわち、１次元のセンサであるＣＣＤイメージセンサ７８によって主走査方向の１ライン分を同時に処理した後、原稿送り装置１０によって搬送される原稿の次の主走査方向の１ラインが読み込まれる。そして本実施形態では、原稿の先端が第２プラテンガラス７２Ｂの読み取り位置に到達した後、この原稿の後端が第２プラテンガラス７２Ｂの読み取り位置を通過することによって、副走査方向に亘って１ページの原稿読み取りが完了する。
【００２６】
スキャナ装置７０について更に説明する。
図２は、スキャナ装置７０の上面図である。
上述のとおり、本実施形態におけるスキャナ装置７０には、原稿送り装置１０により搬送される原稿を案内する案内部材６８が設けられている。この案内部材６８は、主走査方向に沿って設けられるとともに第１プラテンガラス７２Ａの上面よりも上方に突出している。そして、第１プラテンガラス７２Ａに原稿がセットされる際、原稿の一辺がこの案内部材６８に突き当てられ原稿の位置決めが行われる。
【００２７】
また、本実施形態では、副走査方向に沿った位置決め部材６７が更に設けられており、上記一辺と直交する他の一辺がこの位置決め部材６７に突き当てられ、原稿の位置決めが行われる。また、本実施形態におけるスキャナ装置７０では、第２プラテンガラス７２Ｂの下面に、第２白基準板６６が設けられている。この第２白基準板６６は、白色の面を有するとともに、原稿の最大読み取り幅の外側（原稿の通過経路の側方）に位置している。また第２白基準板６６は、フルレートキャリッジ７３が第２プラテンガラス７２Ｂの下方に位置決めされた状態の画像読み取り部６５による読み取りが可能な位置に設けられている。なお、本明細書では、以下、この第２白基準板６６をサイド白基準板６６と称する。
【００２８】
図３は、処理装置８０の機能ブロック図を示したものである。
本実施形態における処理装置８０は、ＣＣＤイメージセンサ７８から出力されるアナログの信号をデジタル信号（デジタルデータ）に変換するＡＦＥ（Analog Front End、アナログフロントエンド）６５Ａを備える。また、制御部８１、光量データ取得部８２、補正パラメータ生成部８３、補正パラメータ記憶部８４、記憶部８５、モード決定部８６、画像処理部８７を備えている。
【００２９】
制御部８１は、ＣＰＵ（Central Processing Unit）、ＲＯＭ（Read Only Memory）、ＲＡＭ（Random Access Memory）、およびＨＤＤ（Hard Disk Drive）（何れも不図示）により構成され、処理装置８０の全体を制御する。ＣＰＵでは、詳細は後述する画像読み取り処理の処理プログラムが実行される。ＲＯＭには、各種プログラムやパラメータ等が記憶されている。ＲＡＭは、ＣＰＵによる各種プログラムの実行時におけるワークエリア等として用いられる。
【００３０】
なお、画像読み取り処理の処理プログラムは、ＣＤ−ＲＯＭやＤＶＤ−ＲＯＭ（いずれも不図示）等の記録媒体に記録しておき、制御部８１内のＨＤＤ等にインストールするとともに、ＣＰＵにより読み込まれることで実行されるようにしてもよい。また、制御部８１は、原稿送り装置１０およびスキャナ装置７０に設けられた各部、各装置の制御を行う。例えば、原稿画像を読み取る際に、露光周期、ゲイン、ランプ７４の発光光量等を設定するとともに、この設定に基づき画像読み取り部６５を制御する。また、ゲイン調整（ゲインコントロール）や、信号レベル（黒レベル）のオフセット調整や、シェーディングデータ（白レベル補正用データ）の採取などを行う。
【００３１】
第１の光量情報取得手段、第２の光量情報取得手段、搬送前取得手段として機能する光量データ取得部８２は、デジタルデータに変換された画像信号に基づいて、ランプ７４の光量（ＣＣＤイメージセンサ７８の受光量）に関するデータ（光量データ）を取得する。補正パラメータ生成部８３は、原稿画像が読み取られる際に光量データ取得部８２にて取得された光量データと、記憶部８５に記憶されている基準データ（基準光量データ）とに基づき、シェーディングデータ等のデータの補正に用いる補正パラメータを生成（算出）する。補正パラメータ記憶部８４は、補正パラメータ生成部８３にて生成された補正パラメータを記憶する。記憶部８５は、画像読み取り装置の電源投入時等、予め定められた時や予め定められた状態の場合に光量データ取得部８２で取得された光量データを基準となる基準データ（基準光量データ）として記憶する。
【００３２】
補正手段の一例としての画像処理部８７は、シェーディングデータ等のデータを補正パラメータ記憶部８４に記憶されている補正パラメータを用いて補正するとともに、この補正したデータを用いて画像データの補正を行う。
モード決定部８６は、原稿の画像を読み取る際におけるモード（読み取り条件）を原稿一枚ごとに決定する。モード決定部８６は、例えば、不図示のＵＩ（User Interface）を介してユーザにより入力される情報や、原稿送り装置１０に設けられた原稿サイズ検知センサから出力される情報に基づき、画像を読み取る際におけるモードを原稿一枚ごとに決定する。
【００３３】
具体例を説明すると、例えば、原稿送り装置１０に対しサイズの異なる原稿が複数積載され且つ一定のサイズとなるよう拡大や縮小したうえで出力するとの指示がユーザからあった場合には、例えば、一のサイズの原稿を読み取る際のモードを第１のモードと決定し、他のサイズの原稿を読み取る際のモードを第２のモードと決定する。
【００３４】
なお上記のように、原稿送り装置１０に対しサイズの異なる原稿が積載され且つ一定のサイズに拡大や縮小して出力するとの指示がユーザからあった場合、原稿毎に、スキャン時の副走査方向の移動速度（例えば原稿の搬送速度）を変更する必要がある。また、要求される画質のレベルなどによっても、原稿毎にスキャン時の副走査方向の移動速度を変更する必要がある。そしてこの場合、スキャンスピードに合わせて主走査の読み取り周期を変更する必要が生じる。またこれに伴い、露光周期やゲイン設定値など光量に影響する設定も変更する必要が生じる。このため、読み取る際のモードが複数存在する場合には、後述する、「モード１の白基準データ［２］」や「モード２の白基準データ［３］」のように、モード毎に白基準データ（第１の光量情報の一例）を取得する必要がある。
【００３５】
次いで、処理装置８０が行う処理の流れを具体的に説明する。
図４は、装置の電源投入時に処理装置８０が実行する処理の一例を示したフローチャートである。
【００３６】
まず、装置の電源がオフ状態のときは、フルレートキャリッジ７３が不図示のホームポジションに停止している。このホームポジションは、第１プラテンガラス７２Ａ上にセットされた原稿の主走査方向のサイズをＣＣＤイメージセンサ７８による１ラインの読み取りで検知し得るよう、案内部材６８から予め定められた距離（例えば、２０ｍｍ程度）だけ読み取り領域内に進出した位置に設定されている。
【００３７】
このような状態から装置の電源が投入（オン）されると、先ず、キャリッジモータ（不図示）を駆動させ、第１白基準板６９の下にフルレートキャリッジ７３を移動させる（ステップ１０１）。また、装置の電源が投入（オン）されると、露光周期、ゲイン、およびランプ７４の光量を予め定められたモード１に設定する（ステップ１０２）。
【００３８】
次いで、ランプ７４をオン（点灯）するとともに光量が安定するまで予め定められた時間待つ（ステップ１０３）。その後、ＣＣＤイメージセンサ７８から出力される信号レベル（白レベル）のゲイン調整（ゲインコントロール）を実施する（ステップ１０４）。次いで、ランプ７４をオフ（消灯）するとともに光量が安定するまで予め定められた時間待つ（ステップ１０５）。その後、ＣＣＤイメージセンサ７８から出力される信号レベル（黒レベル）のオフセット調整（オフセットコントロール）を実施する（ステップ１０６）。
【００３９】
その後、ランプ７４をオン（点灯）するとともに光量が安定するまで予め定められた時間待つ（ステップ１０７）。続いて、ＣＣＤイメージセンサ７８から出力される信号（ランプ光量データ）を採取しこの信号を記憶する（ステップ１０８）。なお本明細書では、このランプ光量データを「基準データ［１］」と称する。また、その後、このランプ光量データに基づき、シェーディング補正を行う際に用いるシェーディングデータを生成（採取）する（ステップ１０９）。
【００４０】
図５〜図７は、原稿の画像を読み取る際に処理装置８０が実行する処理の一例を示したフローチャートである。なお、本実施形態では、原稿送り装置１０により搬送される原稿の画像を読み取る場合の処理を示している。
【００４１】
原稿の画像を読み取るに際しては、まず、キャリッジモータ（不図示）を駆動させ、第１白基準板６９の下にフルレートキャリッジ７３を移動させる（ステップ２０１）。また、露光周期、ゲイン、およびランプ７４の光量を予め定められたモード１に設定する（ステップ２０２）。次いで、ＣＣＤイメージセンサ７８から出力される信号レベル（黒レベル）を測定するとともに、黒レベルの補正に用いる補正パラメータを生成（設定）する（ステップ２０３）。次いで、ランプ７４をオン（点灯）するとともに光量が安定するまで予め定められた時間待つ（ステップ２０４）。次いで、ＣＣＤイメージセンサ７８から出力される信号（ランプ光量データ）を採取しこの信号を記憶する（ステップ２０５）。なお本明細書では、このランプ光量データを「モード１の白基準データ［２］」と称する。
【００４２】
次いで、露光周期、ゲイン、およびランプ７４の光量を予め定められたモード２に設定する（ステップ２０６）。また、ランプ７４をオフ（消灯）するとともに光量が安定するまで予め定められた時間待つ（ステップ２０７）。その後、ＣＣＤイメージセンサ７８から出力される信号レベル（黒レベル）を測定するとともに、黒レベルの補正に用いる補正パラメータを生成（設定）する（ステップ２０８）。
【００４３】
次いで、ランプ７４をオン（点灯）するとともに光量が安定するまで予め定められた時間待つ（ステップ２０９）。その後、ＣＣＤイメージセンサ７８から出力される信号（ランプ光量データ）を採取しこの信号を記憶する（ステップ２１０）。ここで本明細書では、このランプ光量データを「モード２の白基準データ［３］」と称する。なお、本実施形態では、モード１およびモード２の２つのモードが存在する場合を一例に説明するが、モードが３つ以上ある場合には、各々のモードにおけるランプ光量データを採取（取得）する。付言すれば、後述する１枚目の原稿のスキャン（ステップ２２６）が行われる前に、各々のモードにおけるランプ光量データを取得する。
【００４４】
その後、ランプ７４をオフ（消灯）するとともに（ステップ２１１）、光量が安定するまで予め定められた時間待つ（ステップ２１２）。また、フルレートキャリッジ７３を読み取り開始位置へ移動させる（ステップ２１３）。即ち、第２プラテンガラス７２Ｂの下方にフルレートキャリッジ７３を移動させる。また、スキャン条件を受信したか否かを判断する（ステップ２１４）。そして、スキャン条件（例えば、原稿のサイズや拡大／縮小の有無）を受信した場合には、このスキャン条件に基づき、画像（１枚目の原稿の画像）を読み取る際のモードを決定する。その後、このモードがモード１であるか否かを判断する（ステップ２１５）。
【００４５】
そして、ステップ２１５にてモード１であると判断した場合、露光周期、ゲイン、およびランプ７４の光量を予め定められたモード１に設定する（ステップ２１６）。次いで、「モード１の白基準データ［２］」÷「基準データ［１］」の演算により、補正パラメータが生成されるとともに、補正パラメータ記憶部８４にこの補正パラメータが記憶される（ステップ２１７）。なお、画像処理部８７は、上記ステップ１０９にて取得されたシェーディングデータに対し、この補正パラメータ（演算結果）を乗じ、新たなシェーディングデータを取得する。そして、この新たなシェーディングデータを用い、後述するステップ２２６にて実施されるスキャンにより取得される画像データ（１枚目の原稿の画像データ）に補正を施す。
【００４６】
また、ステップ２１５にてモード１ではないと判断した場合（モード２である場合）、露光周期、ゲイン、およびランプ７４の光量を予め定められたモード２に設定する（ステップ２１８）。次いで、「モード２の白基準データ［３］」÷「基準データ［１］」の演算により、補正パラメータが生成されるとともに、補正パラメータ記憶部８４にこの補正パラメータが記憶される（ステップ２１９）。なお、画像処理部８７は、上記と同様、上記ステップ１０９にて取得されたシェーディングデータに対し、この補正パラメータを乗じ、新たなシェーディングデータを取得する。そして、この新たなシェーディングデータを用い、後述するステップ２２６にて実施されるスキャンにより取得される画像データ（１枚目の原稿の画像データ）に補正を施す。その後、ＣＣＤイメージセンサ７８から出力される信号レベル（黒レベル）を測定するとともに、黒レベルの補正に用いる補正パラメータを生成（設定）する（ステップ２２０）。
【００４７】
その後、図６に示すように、ランプ７４をオン（点灯）するとともに光量が安定するまで予め定められた時間待つ（ステップ２２１）。次いで、ＣＣＤイメージセンサ７８から出力される信号のうちサイド白基準板６６を読み取ることにより得られた信号（ランプ光量データ（第２の光量情報の一例））を採取する（ステップ２２２）。なお本明細書では、このランプ光量データを「サイド白基準データ［４］」と称する。次いで、現在のモードがモード１であるか否かを判断する（ステップ２２３）。
【００４８】
ここで、ステップ２２３にて、現在のモードがモード１であると判断した場合は、演算によって、モード２の１枚目のサイド白基準データを取得する（ステップ２２４）。即ち、実測によらず演算によって、モード２の１枚目のサイド白基準データを取得する。具体的には、第３の光量情報取得手段として機能する制御部８１が、演算＜「サイド白基準データ［４］」×「モード２の白基準データ［３］」÷「モード１の白基準データ［２］」＞を実行し、モード２の１枚目のサイド白基準データを取得する。付言すると、得られた「サイド白基準データ［４］」に対し、「モード２の白基準データ［３］」と「モード１の白基準データ［２］」との比（比率）を乗じ、モード２の１枚目のサイド白基準データを取得する。なお、モード１の１枚目のサイド白基準データは、上記、「サイド白基準データ［４］」のままである。
【００４９】
一方、ステップ２２３にて、現在のモードがモード１ではないと判断した場合（現在のモードがモード２である場合）は、演算によって、モード１の１枚目のサイド白基準データを取得する（ステップ２２５）。即ちこの場合も、実測によらず演算によって、モード１の１枚目のサイド白基準データを取得する。具体的には、演算＜「サイド白基準データ［４］」×「モード１の白基準データ［２］」÷「モード２の白基準データ［３］」＞を実行し、モード１の１枚目のサイド白基準データを取得する。付言すると、上記と同様、得られた「サイド白基準データ［４］」に対し、「モード１の白基準データ［２］」と「モード２の白基準データ［３］」との比を乗じ、モード１の１枚目のサイド白基準データを取得する。なお、モード２の１枚目のサイド白基準データは、上記、「サイド白基準データ［４］」のままである。なお、本実施形態では、２つのモードがある場合を一例に説明したが、３つ以上ある場合も上記演算により、各モードの「サイド白基準データ」を取得することができる。
【００５０】
「サイド白基準データ」は、画像読み取りを行うのに先立ち、サイド白基準板６６の読み取り（実測）を行うことにより取得できるが、モードが複数存在する場合には、モード毎にサイド白基準板６６の読み取り（実測）を行う必要が生じ、時間を要するようになってしまう。即ち、サイド白基準板６６の読み取りをモード毎に行う場合には、モードを変更する度に、露光周期・ゲイン・ランプ７４の光量などを変更する必要が生じ、時間を要するようになってしまう。この結果、一枚目の原稿の読み取り開始までに要する時間が長くなるとともに全体の生産性も低下してしまう。そこで本実施形態では、上記のように、モードの全数よりも少ない数（上記では一つ）のモードにおける「サイド白基準データ」を取得するとともに、この「サイド白基準データ」に基づき、演算によって、他のモードにおける「サイド白基準データ」を取得している。
【００５１】
その後、本実施形態では、原稿送り装置１０を動作させ、一枚目の原稿のスキャン（読み取り）を行う（ステップ２２６）。なお、上記のとおり、このスキャンにより取得される画像データに対しては、上記新たなシェーディングデータを用いたシェーディング補正が実行される。また本明細書では、以下、上記ステップ２２４およびステップ２２５が実行された後における「モード１の１枚目のサイド白基準データ」を「モード１の１枚目のサイド白基準データ［５］」と称し、「モード２の１枚目のサイド白基準データ」を「モード２の１枚目のサイド白基準データ［６］」と称する。
【００５２】
次いで、図７に示すように、ランプ７４をオフ（消灯）する（ステップ２２７）。その後、原稿送り装置１０に設けられた不図示のセンサからの出力に基づき、原稿積載部１１に、原稿があるか否かを判断する（ステップ２２８）。ここで原稿が存在しないと判断した場合、処理を終了する。一方、ステップ２２８にて原稿があると判断した場合、次に画像の読み込みを行う原稿のスキャン条件を受信したか否かを判断し（ステップ２２９）、受信したと判断した場合には、このスキャン条件に基づき、画像を読み取る際のモードを決定する。
【００５３】
その後、このモードがモード１であるか否かを判断する（ステップ２３０）。そして、モード１であると判断した場合には、露光周期、ゲイン、およびランプ７４の光量を予め定められたモード１に設定する（ステップ２３１）。また、モード１であると判断しなかった場合には、露光周期、ゲイン、およびランプ７４の光量を予め定められたモード２に設定する（ステップ２３２）。
【００５４】
その後、ＣＣＤイメージセンサ７８から出力される信号レベル（黒レベル）を測定するとともに、黒レベルの補正に用いる補正パラメータを生成（設定）する（ステップ２３３）。次いで、ランプ７４をオン（点灯）するとともに光量が安定するまで予め定められた時間待つ（ステップ２３４）。次いで、ＣＣＤイメージセンサ７８から出力される信号のうちサイド白基準板６６を読み取ることにより得られた信号（ランプ光量データ（搬送前光量情報の一例））を採取する（ステップ２３５）。なお本明細書では、このランプ光量データを「サイド白基準データ［７］」と称する。
【００５５】
次いで、現在のモードがモード１であるか否かを判断する（ステップ２３６）。そして現在のモードがモード１であると判断した場合、上記ステップ１０９にて取得されたシェーディングデータに対する新たな補正パラメータが生成され、生成された補正パラメータが補正パラメータ記憶部８４に記憶される（ステップ２３７）。具体的には、演算＜「モード１の白基準データ［２］」÷「基準データ［１］」×「サイド白基準データ［７］」÷「モード１の１枚目のサイド白基準データ［５］」＞が行われるとともに、この演算結果が補正パラメータとして補正パラメータ記憶部８４に記憶される。
【００５６】
言い換えると、上記ステップ２１７にて行われた演算＜「モード１の白基準データ［２］」÷「基準データ［１］」＞により取得された補正パラメータに対し、「サイド白基準データ［７］」（モード１の現在のサイド基準データ）と「モード１の１枚目のサイド白基準データ［５］」（モード１の過去のサイド基準データ）との比を乗じ、新たな補正パラメータを生成する。そして、取得したこの補正パラメータを、新たな補正パラメータとして記憶する。なお、本実施形態では、補正パラメータを補正パラメータ記憶部８４に記憶しているが、補正パラメータ算出のための中間データを補正パラメータ記憶部８４に記憶するようにしてもよい。
【００５７】
その後、原稿送り装置１０を動作させ、原稿（２枚目の原稿）のスキャンを行う（ステップ２３９）。また、画像処理部８７は、上記ステップ１０９にて取得されたシェーディングデータに対し、上記ステップ２３７にて記憶された補正パラメータを乗じ、新たなシェーディングデータを取得する。そして、この新たなシェーディングデータを用い、ステップ２３９にて実施されたスキャンにより取得される画像データ（２枚目の原稿の画像データ）にシェーディング補正を施す。
【００５８】
一方、ステップ２３６にて現在のモードがモード１ではないと判断した場合（モード２である場合）も、上記ステップ１０９にて取得されたシェーディングデータに対する新たな補正パラメータが生成され、生成された補正パラメータが補正パラメータ記憶部８４に記憶される（ステップ２３８）。具体的には、演算＜「モード２の白基準データ［３］」÷「基準データ［１］」×「サイド白基準データ［７］」÷「モード２の１枚目のサイド白基準データ［６］」＞が行われるとともに、この演算結果が補正パラメータとして補正パラメータ記憶部８４に記憶される。
【００５９】
その後、上記にて説明したように、原稿送り装置１０を動作させ、原稿（２枚目の原稿）のスキャンを行う（ステップ２３９）。そして、画像処理部８７は、上記ステップ１０９にて取得されたシェーディングデータに対し、上記ステップ２３８にて記憶された補正パラメータを乗じ、新たなシェーディングデータを取得する。そして、この新たなシェーディングデータを用い、ステップ２３９にて実施されたスキャンにより取得される画像データ（２枚目の原稿の画像データ）にシェーディング補正を施す。
【００６０】
その後、ステップ２２８の処理が再度実行される。即ち、原稿積載部１１に、原稿があるか否かが判断される。そして、原稿が存在しないと判断された場合、処理を終了する。一方、原稿が存在すると判断された場合、ステップ２２９以降の処理が再度実行される。これにより、ステップ２３５にて、新たな「サイド白基準データ［７］」が取得される。付言すれば、３枚目の原稿の読み取りを行う直前における「サイド白基準データ［７］」が取得される。その後、ステップ２３７又はステップ２３８にて、この新たな「サイド白基準データ［７］」を用いて上記の演算が実行され、この演算結果が新たな補正パラメータとして補正パラメータ記憶部８４に記憶される。
【００６１】
なお上記にて説明したように、本実施形態では、読み取りを行う際のモードが複数存在する場合には、モード毎に且つ実測によって白基準データ（第１の光量情報の一例）を取得している。具体的には、上記ステップ２０５、ステップ２１０（図５参照）にて説明したように、実測によって、全てのモード（モード１およびモード２）における白基準データを取得している。
【００６２】
ところで、演算によって白基準データも取得してもよい。例えば、モードが複数存在する場合に、例えば一のモードにて白基準データを実測により取得する。また、記憶部８５（図３参照）に、この一のモードの白基準データとその他のモード（残りのモード）の白基準データとの比（光量比）を予め記憶しておく。そして、上記一のモードにて取得された白基準データと、記憶部８５に記憶されている比とを用いて、上記その他のモードにおける白基準データを取得する。
【００６３】
なお、本実施形態では、上記のとおり、サイド白基準データについても、その一部を実測によって取得し他のサイド白基準データを演算によって取得している。ここで、サイド白基準データを実測によって取得する際のモードと、白基準データを実測により取得する際のモードとが異なっていてもよい。例えば、白基準データが実測により取得された際のモードがモード１であったとしても、サイド白基準データ（実測により得られるサイド白基準データ）をモード２で取得することができる。
【００６４】
ここで、白基準データを演算によって（比を用いて）取得する場合の具体例を説明する。
なお本具体例では、モード１〜モード６の６つのモードがある場合を想定する。このような場合、例えば、モード１に関する光量比を１とし、モード２に関する光量比を１．０８、モード３に関する光量比を１．１５とし、これらの光量比を記憶部８５に記憶しておく。また、例えば、モード４に関する光量比を１とし、モード５に関する光量比を１．０８とし、モード６に関する光量比を１．２０とし、これらの光量比を記憶部８５に記憶しておく。
【００６５】
そして、上記ステップ２０５に示した処理と同様に、例えば、モード１およびモード４における白基準データを取得する（実測により取得する）。その後、記憶部８５に記憶された上記光量比を用いて演算を行い、モード２、モード３、モード５、およびモード６における白基準データを取得する。なお、白基準データを取得する際の具体的な演算式は以下のとおりとなる。
・モード２の白基準データ＝モード１の白基準データ×１．０８
・モード３の白基準データ＝モード１の白基準データ×１．１５
・モード５の白基準データ＝モード４の白基準データ×１．０８
・モード６の白基準データ＝モード４の白基準データ×１．２０
【符号の説明】
【００６６】
１０…原稿送り装置、６５…画像読み取り部、６６…第２白基準板、６９…第１白基準板、７４…ランプ、７８…ＣＣＤイメージセンサ、８１…制御部、８２…光量データ取得部、８７…画像処理部、４００…画像形成部
【図１】
0005418034.tif 000002
【図２】
0005418034.tif 000003
【図３】
0005418034.tif 000004
【図４】
0005418034.tif 000005
【図５】
0005418034.tif 000006
【図６】
0005418034.tif 000007
【図７】
0005418034.tif 000008